(57)【要約】【課題】インクジェットヘッドを着脱可能かつ高精度で位置合わせして固定可能なヘッドユニット及びインクジェット記録装置を提供する。【解決手段】ヘッドユニットは、インクを吐出するインクジェットヘッドと、インクジェットヘッドが固定される固定部材２３３と、を備える。インクジェットヘッド及び固定部材２３３のうち一方には、嵌合部が固定的に設けられ、他方には、被嵌合部２３４、２３５が固定的に設けられ、嵌合部と被嵌合部２３４、２３５とが係合することでインクジェットヘッドが固定部材２３３に対して固定される。嵌合部又は被嵌合部２３４、２３５は、嵌合部及び被嵌合部が互いに係合する係合面のうち一部を含む部分の剛性が、他の部分の剛性よりも低い。【選択図】図５
2020019177.tif 000002
【特許請求の範囲】
【請求項１】
インクを吐出するインクジェットヘッドと、
前記インクジェットヘッドが固定される固定部材と、
を備え、
前記インクジェットヘッド及び前記固定部材のうち一方には、係合部が固定的に設けられ、他方には、被係合部が固定的に設けられ、
前記係合部と前記被係合部とが係合することで前記インクジェットヘッドが前記固定部材に対して固定され、
前記係合部又は前記被係合部は、前記係合部及び前記被係合部が互いに係合する係合面のうち一部を含む部分の剛性が、他の部分の剛性よりも低い
ことを特徴とするヘッドユニット。
【請求項２】
前記被係合部は孔部を有し、
前記係合部は、前記孔部に挿入されることで前記被係合部と嵌合される挿入部を有する
ことを特徴とする請求項１記載のヘッドユニット。
【請求項３】
前記被係合部は、前記挿入部の挿入方向に垂直な面内での前記孔部の中心位置からの角度方向に応じて剛性が異なることを特徴とする請求項２記載のヘッドユニット。
【請求項４】
前記挿入部は、柱状構造部分を有し、前記挿入部の挿入方向に垂直な面での前記柱状構造部分の断面が、前記孔部の前記挿入方向に垂直な面での断面よりも大きいことを特徴とする請求項２又は３記載のヘッドユニット。
【請求項５】
前記他の部分に含まれる前記係合面内の第１の係合点、及び前記孔部の中心位置を通る直線は、前記一部に含まれる第２の係合点を通り、
前記挿入部が挿入されていない状態において、前記柱状構造部分における前記第１の係合点と前記第２の係合点との距離のうち少なくとも一部は、前記孔部における前記第１の係合点と前記第２の係合点との距離よりも大きい
ことを特徴とする請求項４記載のヘッドユニット。
【請求項６】
前記被係合部は、前記孔部を取り巻く環状部と、前記環状部における所定の角度方向の範囲に対して接続する基部とを含み、当該基部が接続された角度方向の範囲の剛性が、前記基部が接続されていない角度範囲の剛性よりも高く、
前記孔部の断面形状は円形であり、前記柱状構造部分の前記断面形状は、長軸長が前記円形の直径よりも大きい楕円形であり、
前記挿入部は、前記楕円形の長軸が前記所定の角度範囲の中央を通るように前記孔部に挿入されて嵌合される
ことを特徴とする請求項４記載のヘッドユニット。
【請求項７】
前記剛性は、前記挿入方向に垂直な面内における前記角度方向ごとに、前記孔部の前記係合面からの前記被係合部の厚さに応じて定まることを特徴とする請求項３記載のヘッドユニット。
【請求項８】
前記被係合部は、前記挿入部の挿入方向に垂直な面内における角度方向において連続した低剛性範囲と、当該低剛性範囲よりも剛性の高い高剛性範囲とに２分割されることを特徴とする請求項３又は７記載のヘッドユニット。
【請求項９】
前記被係合部には、前記挿入方向に垂直な面内で前記孔部を外部と接続する切欠部が前記一部を含む部分に設けられていることを特徴とする請求項２〜８のいずれか一項に記載のヘッドユニット。
【請求項１０】
前記係合面において前記被係合部の前記剛性が相対的に低い側よりも相対的に高い側に前記挿入部がより強く押圧されるように前記インクジェットヘッドを付勢する付勢部を備えることを特徴とする請求項２〜９のいずれか一項に記載のヘッドユニット。
【請求項１１】
前記係合部及び前記被係合部のうち少なくとも一部は、前記インクジェットヘッド及び前記固定部材のうち少なくとも一部と一体的に形成されていることを特徴とする請求項１〜１０のいずれか一項に記載のヘッドユニット。
【請求項１２】
前記固定部材には、固定される前記係合部又は前記被係合部の位置を調整するための調整部が設けられていることを特徴とする請求項１〜１１のいずれか一項に記載のヘッドユニット。
【請求項１３】
前記被係合部の熱膨張係数は、前記係合部の熱膨張係数以下であることを特徴とする請求項１〜１２のいずれか一項に記載のヘッドユニット。
【請求項１４】
請求項１〜１３のいずれか一項に記載のヘッドユニットを備えることを特徴とするインクジェット記録装置。
【発明の詳細な説明】
【技術分野】
【０００１】
この発明は、ヘッドユニット及びインクジェット記録装置に関する。
【背景技術】
【０００２】
種々の媒体に対してインクを吐出して画像や被膜などを形成するインクジェット記録装置がある。インクを吐出するノズルが配列されたインクジェットヘッドを複数配列して固定し、当該複数のインクジェットヘッドを並列に利用可能とすることで、インクジェット記録装置による画像記録動作の高速化や高解像度化が図られている。
【０００３】
複数のインクジェットヘッドは、固定部材に対してねじやピンなどを用いて固定される。高精度の画像を形成するためには、複数のインクジェットヘッドが正確な位置関係で固定されている必要がある。従来、各インクジェットヘッドの位置調整のために、当該インクジェットヘッドを固定するねじやピンの受け側には、長穴などが用いられている。しかしながら、この場合、一度正確に固定されても、その後の組立工程や画像記録動作開始後に、大きい力や衝撃などがかかることにより、インクジェットヘッドが固定された位置からずれる場合があるという問題がある。
【０００４】
これに対し、受け側の穴を部分的又は全体としてねじやピンの径よりも小さくし、受け側の穴を変形させながらねじを固定する圧力嵌合とすることで、ねじやピンに対して継続的に受けがわから力が加わり、これらの位置、すなわち、固定対象物の位置をずれにくくする技術が知られている（特許文献１、２）。
【先行技術文献】
【特許文献】
【０００５】
【特許文献１】特開２００４−２６８３７０号公報
【特許文献２】特開平１０−２９６９８４号公報
【発明の概要】
【発明が解決しようとする課題】
【０００６】
しかしながら、インクジェットヘッドを固定部材に対して位置合わせして取り付ける場合、従来技術を適用すると、一度取り付けたインクジェットヘッドを固定部材から容易に取り外すことが困難であるという課題がある。
【０００７】
この発明の目的は、インクジェットヘッドを着脱可能かつ高精度で位置合わせして固定可能なヘッドユニット及びインクジェット記録装置を提供することにある。
【課題を解決するための手段】
【０００８】
上記目的を達成するため、請求項１記載の発明は、
インクを吐出するインクジェットヘッドと、
前記インクジェットヘッドが固定される固定部材と、
を備え、
前記インクジェットヘッド及び前記固定部材のうち一方には、係合部が固定的に設けられ、他方には、被係合部が固定的に設けられ、
前記係合部と前記被係合部とが係合することで前記インクジェットヘッドが前記固定部材に対して固定され、
前記係合部又は前記被係合部は、前記係合部及び前記被係合部が互いに係合する係合面のうち一部を含む部分の剛性が、他の部分の剛性よりも低い
ことを特徴とするヘッドユニットである。
【０００９】
また、請求項２記載の発明は、請求項１記載のヘッドユニットにおいて、
前記被係合部は孔部を有し、
前記係合部は、前記孔部に挿入されることで前記被係合部と嵌合される挿入部を有する
ことを特徴とする。
【００１０】
また、請求項３記載の発明は、請求項２記載のヘッドユニットにおいて、
前記被係合部は、前記挿入部の挿入方向に垂直な面内での前記孔部の中心位置からの角度方向に応じて剛性が異なることを特徴とする。
【００１１】
また、請求項４記載の発明は、請求項２又は３記載のヘッドユニットにおいて、
前記挿入部は、柱状構造部分を有し、前記挿入部の挿入方向に垂直な面での前記柱状構造部分の断面が、前記孔部の前記挿入方向に垂直な面での断面よりも大きいことを特徴とする。
【００１２】
また、請求項５記載の発明は、請求項４記載のヘッドユニットにおいて、
前記他の部分に含まれる前記係合面内の第１の係合点、及び前記孔部の中心位置を通る直線は、前記一部に含まれる第２の係合点を通り、
前記挿入部が挿入されていない状態において、前記柱状構造部分における前記第１の係合点と前記第２の係合点との距離のうち少なくとも一部は、前記孔部における前記第１の係合点と前記第２の係合点との距離よりも大きい
ことを特徴とする。
【００１３】
また、請求項６記載の発明は、請求項４記載のヘッドユニットにおいて、
前記被係合部は、前記孔部を取り巻く環状部と、前記環状部における所定の角度方向の範囲に対して接続する基部とを含み、当該基部が接続された角度方向の範囲の剛性が、前記基部が接続されていない角度範囲の剛性よりも高く、
前記孔部の断面形状は円形であり、前記柱状構造部分の前記断面形状は、長軸長が前記円形の直径よりも大きい楕円形であり、
前記挿入部は、前記楕円形の長軸が前記所定の角度範囲の中央を通るように前記孔部に挿入されて嵌合される
ことを特徴とする。
【００１４】
また、請求項７記載の発明は、請求項３記載のヘッドユニットにおいて、
前記剛性は、前記挿入方向に垂直な面内における前記角度方向ごとに、前記孔部の前記係合面からの前記被係合部の厚さに応じて定まることを特徴とする。
【００１５】
また、請求項８記載の発明は、請求項３又は７記載のヘッドユニットにおいて、
前記被係合部は、前記挿入部の挿入方向に垂直な面内における角度方向において連続した低剛性範囲と、当該低剛性範囲よりも剛性の高い高剛性範囲とに２分割されることを特徴とする。
【００１６】
また、請求項９記載の発明は、請求項２〜８のいずれか一項に記載のヘッドユニットにおいて、
前記被係合部には、前記挿入方向に垂直な面内で前記孔部を外部と接続する切欠部が前記一部を含む部分に設けられていることを特徴とする。
【００１７】
また、請求項１０記載の発明は、請求項２〜９のいずれか一項に記載のヘッドユニットにおいて、
前記係合面において前記被係合部の前記剛性が相対的に低い側よりも相対的に高い側に前記挿入部がより強く押圧されるように前記インクジェットヘッドを付勢する付勢部を備えることを特徴とする。
【００１８】
また、請求項１１記載の発明は、請求項１〜１０のいずれか一項に記載のヘッドユニットにおいて、
前記係合部及び前記被係合部のうち少なくとも一部は、前記インクジェットヘッド及び前記固定部材のうち少なくとも一部と一体的に形成されていることを特徴とする。
【００１９】
また、請求項１２記載の発明は、請求項１〜１１のいずれか一項に記載のヘッドユニットにおいて、
前記固定部材には、固定される前記係合部又は前記被係合部の位置を調整するための調整部が設けられていることを特徴とする。
【００２０】
また、請求項１３記載の発明は、請求項１〜１２のいずれか一項に記載のヘッドユニットにおいて、
前記被係合部の熱膨張係数は、前記係合部の熱膨張係数以下であることを特徴とする。
【００２１】
また、請求項１４記載の発明は、
請求項１〜１３のいずれか一項に記載のヘッドユニットを備えることを特徴とするインクジェット記録装置である。
【発明の効果】
【００２２】
本発明に従うと、インクジェットヘッドを固定部材に対して容易に着脱可能かつ高精度で位置合わせして固定可能とすることができるという効果がある。
【図面の簡単な説明】
【００２３】
【図１】インクジェット記録装置の構成を正面から見た模式図である。
【図２】ヘッドユニットにおけるインクジェットヘッドの配置を上方から見た図である。
【図３】インクジェットヘッドの斜視図である。
【図４】インクジェットヘッドの底面図及び正面図である。
【図５】固定部材の一部を拡大して示した図である。
【図６】被嵌合部と嵌合部との嵌合について説明する図である。
【図７】被嵌合部の種々の変形例を示す図である。
【図８】インクジェットヘッドの変形例を示している。
【図９】固定部材の変形例を示している。
【発明を実施するための形態】
【００２４】
以下、本発明の実施の形態を図面に基づいて説明する。
図１は、本発明の実施形態のインクジェット記録装置１の構成を正面から見た模式図である。
【００２５】
インクジェット記録装置１は、媒体供給部１０と、記録動作部２０と、媒体排出部３０などを備えている。このインクジェット記録装置１では、図示略の制御部による制御動作に基づいて、媒体供給部１０に格納された記録媒体Ｍが記録動作部２０に搬送され、画像が記録された後に、媒体排出部３０へ排出される。
【００２６】
媒体供給部１０は、媒体供給トレー１１と供給搬送部１２などを有する。
媒体供給トレー１１は、記録媒体Ｍを一又は複数載置可能に設けられた板状部材である。媒体供給トレー１１は、載置された記録媒体Ｍの量に応じて上下動し、記録媒体Ｍのうち一番上のものが供給搬送部１２による搬送開始位置に保持される。記録媒体Ｍとしては、種々の厚さの印刷用紙、セル、フィルムや布帛など種々のものが用いられ得る。記録媒体Ｍは、インクが内部に浸透しない非吸収性の材質の表面を有するものであってもよい。
供給搬送部１２は、複数、例えば、２本のローラー１２１、１２２と、内側面でローラー１２１、１２２により支持された輪状のベルト１２３と、媒体供給トレー１１上に載置された記録媒体Ｍのうち一番上のものをベルト１２３に受け渡す図示略の供給部と、を有する。供給搬送部１２は、ローラー１２１、１２２の回転によるベルト１２３の周回移動に従って供給部によりベルト１２３上に受け渡された記録媒体Ｍを搬送して記録動作部２０へ送る。
【００２７】
記録動作部２０は、画像形成ドラム２１と、受け渡しユニット２２と、ヘッドユニット２３と、定着部２４と、デリバリー部２５などを備える。
【００２８】
画像形成ドラム２１は、円筒状の外周形状を有し、当該外周面（搬送面）上に記録媒体Ｍを担持して、その回転動作に応じた搬送経路で記録媒体Ｍを搬送する。この画像形成ドラム２１の内面側には、ヒーターが設けられ、搬送面上に載置された記録媒体Ｍが所定の設定温度になるように搬送面を加熱してもよい。
【００２９】
受け渡しユニット２２は、供給搬送部１２から受け渡された記録媒体Ｍを画像形成ドラム２１に受け渡す。受け渡しユニット２２は、媒体供給部１０の供給搬送部１２と画像形成ドラム２１との間の位置に設けられている。受け渡しユニット２２は、供給搬送部１２により送られてきた記録媒体Ｍの一端を把持する爪部２２１と、爪部２２１に把持された記録媒体Ｍを誘導する円筒状の受け渡しドラム２２２などを有する。爪部２２１により供給搬送部１２から取得された記録媒体Ｍは、受け渡しドラム２２２に送られると回転する受け渡しドラム２２２の外周面に沿って移動し、そのまま画像形成ドラム２１の外周面に誘導されて受け渡される。
【００３０】
ヘッドユニット２３は、記録媒体Ｍが担持された画像形成ドラム２１の回転に応じ、記録媒体Ｍと対向するインク吐出面に設けられた複数のノズル開口からヘッドユニット２３と相対移動する当該記録媒体Ｍの各所にインクの液滴を吐出していくことで画像を形成する。本実施形態のインクジェット記録装置１では、ヘッドユニット２３は、画像形成ドラム２１の外周面から予め設定された距離だけ離隔されて、所定の間隔で４つ配置されている。４つのヘッドユニット２３は、ＣＭＹＫ４色（シアン、マゼンタ、イエロー、黒色）のインクをそれぞれ出力する。ここでは、記録媒体Ｍの搬送方向について上流側から順番にＣ、Ｍ、Ｙ、Ｋの各色インクがそれぞれ吐出される。インクとしては、任意のものが用いられ得るが、ここでは、温度に応じてゾル状態とゲル状態との間で相変化し、また、所定のエネルギー線、例えば、紫外線の照射により定着するインクが用いられる。ゾル状態でヘッドユニット２３から吐出されたインクは、記録媒体Ｍ上に着弾すると温度が低下して速やかにゲル化して粘度が増大し、定着部２４から照射される紫外線によりインクが記録媒体Ｍに定着する。
ヘッドユニット２３の各々は、ここでは、画像形成ドラム２１の回転との組み合わせにより記録媒体Ｍ上の画像記録幅にわたって画像を形成可能なラインヘッドである。
【００３１】
定着部２４は、記録媒体Ｍの表面に対して所定のエネルギー線、ここでは、上述のように紫外線を照射する。定着部２４は、例えば、紫外線発光するＬＥＤランプなどを有する。定着部２４は、画像形成ドラム２１の外周面の近傍であって、画像形成ドラム２１の回転により搬送される記録媒体Ｍ上にヘッドユニット２３からインクの吐出がなされた後、記録媒体Ｍが画像形成ドラム２１からデリバリー部２５に渡る前の範囲で当該記録媒体Ｍに紫外線を照射可能に配置されている。定着部２４は、遮蔽部材を有し、搬送面上の記録媒体Ｍの所定の範囲以外への紫外線の照射量を当該所定の範囲と比較して十分に低下させている。
【００３２】
デリバリー部２５は、インクが吐出、定着された記録媒体Ｍを画像形成ドラム２１から媒体排出部３０に搬送する。デリバリー部２５は、複数（例えば、２本）のローラー２５１、２５２と、内側面でローラー２５１、２５２に支持された輪状のベルト２５３と、円筒状の受け渡しローラー２５４などを有する。デリバリー部２５は、受け渡しローラー２５４により画像形成ドラム２１上の記録媒体Ｍをベルト２５３上に誘導し、受け渡された記録媒体Ｍをローラー２５１、２５２の回転に伴い周回移動するベルト２５３と共に移動させることで搬送して媒体排出部３０に送り出す。
【００３３】
媒体排出部３０は、記録動作部２０から送り出された画像記録後の記録媒体Ｍをユーザーにより取り出されるまで格納する。媒体排出部３０は、デリバリー部２５により搬送された記録媒体Ｍが載置される板状の媒体排出トレー３１などを有する。
【００３４】
図２は、ヘッドユニット２３におけるインクジェットヘッド２３１の配置を上方から見た図である。ここでいう上方とは、ヘッドユニット２３のインク吐出面から当該インク吐出面とは反対の側への向きである。
【００３５】
ヘッドユニット２３には、インクを吐出するインクジェットヘッド２３１が幅方向について重複部分を含みながら複数個（例えば、ここでは８個）順番に配列されている。複数のインクジェットヘッド２３１は、それぞれ幅方向に延在する方向で、搬送方向について２箇所に分かれて千鳥格子状に配置されて、板状の固定部材２３３に取り付け固定されている。各インクジェットヘッド２３１の幅方向について両隣には、それぞれインクジェットヘッド２３１との間でインクを授受する流路部材２３２が配置されている。インクジェットヘッド２３１の上面には、駆動信号や電圧を供給する駆動基板、例えば、フレキシブルプリント基板などが通過する開口が設けられている。
【００３６】
固定部材２３３は、図示略の支持部材（キャリッジ）に取り付けられており、支持部材の状態に応じて記録媒体の搬送面に対して適切な位置関係で保持される。
【００３７】
図３は、インクジェットヘッド２３１の斜視図である。図４は、インクジェットヘッド２３１の底面図及び幅方向について一端から見た正面図である。
【００３８】
インクジェットヘッド２３１の底面側、すなわち、高さ方向について最も小さい（低い）側がインク吐出面である。図４（ａ）にも示すように、基板６２の底面側には、底面に幅方向に複数のノズルが配列されたノズル基板６１が搬送方向について異なる位置に２個平行に設けられている。基板６２の上面側には、本体部６４が設けられている。本体部６４の内部には、インク流路及び駆動回路などが設けられている。図４（ｂ）にも示すように、ノズル基板６１は、基板６２を貫通して本体部６４に接続されている。インク流路は、本体部６４の上方に突出する流路接続部６５を介して流路部材２３２と接続されている。インクジェットヘッド２３１（本実施形態での一方）の基板６２には、幅方向について両端近傍に、それぞれ突起状の嵌合部６２１、６２２（係合部、ここでは挿入部）が一体的に（固定的に）設けられている。嵌合部６２１、６２２は、基板６２の根元から柱状構造部分を有し、その先端は、凸状の曲面構造になっている。
【００３９】
図５は、固定部材２３３の一部を拡大して示した図である。
この図では、インクジェットヘッド２３１が取りつけられていない状態が示されている。
【００４０】
固定部材２３３には、貫通孔８１が設けられている。貫通孔８１の配置は、インクジェットヘッド２３１の配置と同一である。この貫通孔８１には、インクジェットヘッド２３１の各ノズル基板６１が挿入され、貫通する。基板６２は、貫通孔８１よりも大きく貫通孔８１を貫通しない。
【００４１】
固定部材２３３（本実施形態での他方）の貫通孔８１の幅方向について両端には、被嵌合部２３４、２３５（被係合部）が設けられている。ここでは、被嵌合部２３４、２３５は、固定部材２３３に対して着脱可能であり、調整部８４により位置が微調整されて固定的に設けられる。被嵌合部２３４、２３５は、それぞれ、基部２３４ａ、２３５ａが環状部２３４ｂ、２３５ｂの中心位置（変形していない状況で）から所定の角度方向の範囲（ここでは、１８０度未満の範囲）に対して接続した形状を有する。被嵌合部２３４の環状部２３４ｂは、略中央の貫通孔２３４１（孔部）を、基部２３４ａよりも薄い幅で取り巻いており、被嵌合部２３５の環状部２３５ｂは、略中央の貫通孔２３５１（孔部）を、基部２３５ａよりも薄い幅で取り巻いている。貫通孔２３４１、２３５１は、それぞれ、平面視で貫通孔８１と重なる位置に設けられている。
【００４２】
貫通孔８１のそれぞれ一辺の側には、２つずつ付勢部材２３６（付勢部）が設けられている。付勢部材２３６は、貫通孔８１にノズル基板６１が挿入されたインクジェットヘッド２３１をそれぞれ中抜き矢印の方向へ付勢する。付勢部材２３６は、例えば、一端が基板６２に固定されたばね板などである。
【００４３】
被嵌合部２３４、２３５の貫通孔２３４１、２３５１に対して嵌合部６２１、６２２が挿入される（係合する）ことで位置合わせがなされて嵌合、固定される。
【００４４】
図６は、被嵌合部２３５と嵌合部６２２との嵌合について説明する図である。
被嵌合部２３４と嵌合部６２１との嵌合と、被嵌合部２３５と嵌合部６２２との嵌合とは、同様であるので、ここでは、一方について説明することとする。
【００４５】
環状部２３５ｂに設けられた貫通孔２３５１は、ここでは、嵌合部６２２が挿入されていない状況で略円柱形状を有する。一方、嵌合部６２２の柱状構造部分は、この貫通孔２３５１の直径よりも長軸がわずかに長く、短軸径が直径と略同一である。嵌合部６２２は、環状部２３５ｂが基部２３５ａから延びている方向、具体的には、上記所定の角度方向の範囲の中央を、長軸が通るように貫通孔２３５１に対して挿入される。ここでは、この長軸方向は、搬送方向と平行になっている。すなわち、楕円形である柱状構造部分の断面（嵌合部６２２の挿入方向に垂直な面における断面）は、円形である貫通孔２３５１の同一断面よりも大きい。言い換えると、柱状構造部分の断面は、当該貫通孔２３５１の断面を内包する。
【００４６】
嵌合部６２１は、挿入されたときにほぼ変形を生じない。一方で、貫通孔２３５１は、嵌合部６２１を挿入することが可能となるように拡張する方向に変形される。被嵌合部２３５は、上述のように、貫通孔２３５１から基部２３５ａの方向には厚みがあり、貫通孔２３５１よりも環状部２３５ｂの先端方向には、基部２３５ａの方向よりも相対的に十分に薄くなっている。すなわち、貫通孔２３５１の内縁、すなわち、嵌合部６２１との接触面（係合面）に対して、高さ方向（嵌合部６２１、６２２の挿入方向）に垂直な面内で貫通孔２３５１の中心位置（嵌合部６２１が挿入されていない状態での位置）からの角度方向に応じて、連続した一部分と他の部分とに２分割され、各々厚さに応じた異なる剛性（ここでは、可塑的な所定量の変形に必要な力の大きさを意味する。変形には、圧縮／伸展及び曲げが少なくとも含まれる）を有することになる。ここでは、上述のように、剛性が低い一部分の角度範囲（環状部２３５ｂのみの方向）よりも剛性が高い他の部分の角度範囲（基部２３５ａの方向）が狭い。すなわち、嵌合部６２１と貫通孔２３５１との２接点と貫通孔２３５１の中心位置とを通る直線のうち、一方の接点（第１係合点）が剛性の高い他の部分（所定の角度方向の範囲内）である場合には、他方の接点（第２係合点）は必ず剛性が低い一部分（所定の角度方向の範囲外）となる。嵌合部６２２の第１係合点と第２係合点との距離は、貫通孔２３５１の内縁（被嵌合部２３５）の第１係合点と第２係合点との距離よりも長い。その結果、凸状の嵌合部６２１の先端部が貫通孔２３５１に挿入されていくと、被嵌合部２３５が相対的に剛性の低い方向（ヤング率の小さい方向）、すなわち、環状部２３５ｂを延長する方向（低剛性範囲、肉薄部）に選択的に弾性変形することで（この変形により、併せて貫通孔２３５１よりも環状部２３５ｂの先端方向の側の厚みが更に減少し得る）、貫通孔２３５１が拡張する。ここでいう異なる剛性とは、意図的に大きく異ならせたものをいい、誤差範囲程度のずれは含まない。また、貫通孔の周囲に六角形の環状部が設けられたナットなど、剛性の大きさに比して小さな剛性の変化を有するものなども含まない。
【００４７】
挿入された嵌合部６２１は、環状部２３５ｂの変形に応じた弾性力により、より強く固定される。これにより、インクジェットヘッド２３１が固定部材２３３に固定された後に嵌合部６２１に対して一時的に外力が働いても、例えば、取り付けられた流路接続部６５に意図しない力が加わって固定部材２３３に平行な力がインクジェットヘッド２３１に加わるなどしても、嵌合部６２１は、被嵌合部２３５に対して当初の固定位置に復帰する。なお、ヤング率が最も低い部分であっても、ちょっとした外力でインクジェットヘッド２３１が固定部材２３３に対して動く量が十分に無視できる程度には、ヤング率は高い。
【００４８】
また、上述のように、インクジェットヘッド２３１は、付勢部材２３６により被嵌合部２３５の基部２３５ａの方向、すなわち、破線矢印の方向に付勢されている。これにより、嵌合部６２２は、貫通孔２３５１内で環状部２３５ｂの先端側から基部２３５ａの方向に押圧されていることになる。貫通孔２３５１の基部２３５ａの側（高剛性範囲、肉厚部）は剛性が大きいので、付勢力の大きさが多少変化しても変形量がほぼ変化せずに、被嵌合部２３５と嵌合部６２２との接触状態が維持される。この状態で、環状部２３５ｂの貫通孔２３５１より先端側の変形量は、嵌合部６２２のサイズに応じた最小量に維持される。
【００４９】
嵌合部６２１、６２２及び被嵌合部２３４、２３５には、温度に依存した変形量が小さい材質を選択することができる。特に、被嵌合部２３４、２３５には、環状部２３５ｂなどの弾性力及び付勢部材２３６の押圧により特定の位置に嵌合部６２１、６２２が挿入、固定されるので、被嵌合部２３４、２３５の熱膨張係数が嵌合部６２１、６２２の熱膨張係数以下となるように材質を定めることとしてもよい。
【００５０】
［変形例］
図７は、被嵌合部２３５の種々の変形例を示す図である。
ここでは、被嵌合部２３５についてのみ説明するが、被嵌合部２３４も同様に変形可能である。
【００５１】
図７（ａ）に示すように、被嵌合部２３５の環状部２３５ｂの先端側約半分程度は、先端部２３５ｃとして、基部２３５ａ及び環状部２３５ｂの根元部分と異なる材質であってもよい。先端部２３５ｃが他の部分と比較してより弾性変形しやすい材質とされることで、嵌合部６２２の挿入により選択的に先端方向にのみ変形し、かつ変形しない方向へ嵌合部６２２が押し付けられることになるので、嵌合部６２２と、被嵌合部２３５との位置合わせ精度が向上する。
【００５２】
また、図７（ｂ）に示すように、環状部２３５ｂの先端側全体ではなく、貫通孔２３５１に面した一部のみが、基部２３５ａなどよりもヤング率の小さい部材とされてもよい。これにより、環状部２３５ｂの外形自体の変形が小さく抑えられつつ、嵌合部６２２と被嵌合部２３５との位置合わせ精度が向上する。また、特に、付勢部材２３６による押圧が強い場合には、積極的にある程度ヤング率の小さい部材を用いることで、嵌合部６２２を被嵌合部２３５から取り外すのがより容易となる。
【００５３】
また、図７（ｃ）に示すように、環状部２３５ｂには、貫通孔２３５１を環状部２３５ｂの外部と接続する切欠部２３５ｖが設けられていてもよい。嵌合部６２２の挿入により、この図の面内で環状部２３５ｂの切欠部２３５ｖとは反対側には、曲げ剛性に応じた力が働き、切欠部２３５ｖの幅が広がるように弾性変形することで、嵌合部６２２と被嵌合部２３５とが嵌合する。この場合にも、切欠部２３５ｖの幅が戻る方向に曲げを戻す弾性力が働くことで、嵌合部６２２が変形の少ない基部２３５ａの側に押さえつけられて固定される。ここでは、切欠部２３５ｖは、基部２３５ａが接続されている角度方向の範囲の中心方向に対して９０度の方向に設けられている。切欠部２３５ｖの角度方向がこれ以外の角度であっても、当該切欠部２３５ｖの向きに応じた曲げ応力のかかる位置が、上記基部２３５ａが接続されている角度方向の範囲（剛性の高い範囲）外であれば、嵌合部６２２（インクジェットヘッド２３１）の挿入時や取り外し時に効果的に応力に応じた被嵌合部２３５の変形が生じ、また、取り付け後には嵌合部６２２に対して適切に固定する力がかかる。そして、切欠部２３５ｖが９０度方向に設けられることで、特に、環状部２３５ｂの先端側半分全体が可動基部２３５ａから離れる方向に変形しやすくなり、また、負荷が分散されやすい。
なお、切欠部２３５ｖにより局所的に剛性の変化を生じさせる場合には、大きな基部２３５ａを設けなくてもよい。これにより、固定部材２３３上で基部２３５ａが占有する面積を縮小することが可能となり、サイズの効率化、小型化を図ることができる。
【００５４】
また、図７（ｄ）に示すように、貫通孔２３５１の断面形状が円形であり、嵌合部６２２の断面形状が楕円形である場合に限られない。これらは、外力が加わって、嵌合部６２２と被嵌合部２３５との位置関係が一時的に変化しても、当該変化を元に戻す方向に力が働く形状であればよい。例えば、ここでは、変形しない又は変形量の小さい基部２３５ａの側の約半分では、貫通孔２３５１及び嵌合部６２２が角柱状の形状となっている。
【００５５】
図８は、インクジェットヘッド２３１の変形例を示している。図９は、固定部材２３３の変形例を示している。図８は、図４と同一の方向から変形例のインクジェットヘッド２３１の同一範囲を見た図であり、図９は、図５と同一の方向から変形例の固定部材２３３の同一範囲を見た図である。同一の構成要素については同一の符号を用いている。
図８に示した変形例のインクジェットヘッド２３１（ここでの他方）の基板６２には、突起状の嵌合部６２１、６２２の代わりに被嵌合部６２６、６２７が設けられている。反対に、図９に示した変形例の固定部材２３３（ここでの一方）には、被嵌合部２３４、２３５の代わりに突起状の嵌合部２３７、２３８が設けられている。
【００５６】
これらのように、インクジェットヘッド２３１と固定部材２３３との間で、嵌合部と被嵌合部とが反対に設けられていてもよい。ここでは、例えば、固定部材２３３において嵌合部６２１、６２２の位置が適宜調整可能とされてもよい。また、この場合、付勢部材２３６により、被嵌合部６２６、６２７の基部の側が嵌合部２３７、２３８の突起に押し付けられる位置関係となっている。
【００５７】
以上のように、本実施形態のインクジェット記録装置１のヘッドユニット２３は、インクを吐出するインクジェットヘッド２３１と、インクジェットヘッド２３１が固定される固定部材２３３と、を備える。インクジェットヘッド２３１及び固定部材２３３のうち一方には、嵌合部６２１、６２２（又は嵌合部２３７、２３８）が固定的に設けられ、他方には、被嵌合部２３４、２３５（又は被嵌合部６２６、６２７）が固定的に設けられ、嵌合部と被嵌合部とが嵌合することでインクジェットヘッド２３１が固定部材２３３に対して固定される。被嵌合部２３４、２３５、６２６、６２７は、嵌合部６２１、６２２、２３７、２３８及び被嵌合部２３４、２３５、６２６、６２７が互いに嵌合する際に接する係合面のうち一部を含む部分の剛性が、他の部分の剛性よりも小さい。
このように、ヘッドユニット２３では、係合面の一部を含む部分の剛性が他の部分の剛性よりも小さいものとすることで、嵌合時及び取り外し時に被嵌合部２３４、２３５、６２６、６２７を局所的に若干変形しやすくし、一方で、取り付けられた状態では、変形した部分が元に戻ろうとする弾性力に応じて嵌合部６２１、６２２、２３７、２３８がより強固に剛性の高い部分に押し付けられるように固定される。したがって、このヘッドユニット２３では、インクジェットヘッド２３１と固定部材２３３との取り付け精度を低下させずに容易に着脱可能とすることができる。
【００５８】
また、被嵌合部２３４、２３５、６２６、６２７は貫通孔２３４１、２３５１、６２６１、６２７１を有し、嵌合部６２１、６２２、２３７、２３８は、貫通孔２３４１、２３５１、６２６１、６２７１に挿入されることで被嵌合部と嵌合される突起（挿入部）を有する。
このように、単純に孔内に突起が挿入されることで位置合わせ及び固定がなされるので、ヘッドユニット２３では、容易かつ高精度な位置合わせ固定が可能である。
【００５９】
また、被嵌合部２３４、２３５、６２６、６２７は、嵌合部６２１、６２２、２３７、２３８の突起の挿入方向に垂直な面内での貫通孔２３４１、２３５１、６２６１、６２７１の中心位置からの角度方向に応じて剛性が異なる。このように剛性に異方性をもたせ、適宜な角度関係で被嵌合部２３４、２３５、６２６、６２７と嵌合部６２１、６２２、２３７、２３８とを嵌合させることで、容易に異方性に応じた位置合わせの精度を向上させることができる。
【００６０】
また、嵌合部６２１、６２２、２３７、２３８の突起は、柱状構造部分を有し、当該突起の挿入方向に垂直な面でのこの柱状構造部分の断面が、貫通孔２３４１、２３５１、６２６１、６２７１の同一断面よりも大きい。すなわち、嵌合部６２１、６２２、２３７、２３８は、狭い貫通孔２３４１、２３５１、６２６１、６２７１を拡張しながら挿入されることになる。このときに、上述の剛性の違いに応じて剛性の低い部分を選択的に変形させることになるので、変形しない側を基準として精度よく位置合わせが可能となる。また、嵌合部６２１、６２２、２３７、２３８が貫通孔２３４１、２３５１、６２６１、６２７１から引き抜かれる場合にも剛性の低い部分が適切に変形するので、他の構成に過大な負荷をかけない。
【００６１】
剛性の高い他の部分に含まれる係合面内の第１の係合点、及び貫通孔２３４１、２３５１、６２６１、６２７１の中心位置を通る直線は、剛性の低い一部に含まれる第２の係合点を通り、嵌合部６２１、６２２、２３７、２３８の突起が挿入されていない状態において、柱状構造部分における第１の係合点と第２の係合点との距離のうち少なくとも一部は、貫通孔２３４１、２３５１、６２６１、６２７１における第１の係合点と第２の係合点との距離よりも大きい。
これにより、柱状構造部分の挿入に伴い、剛性の低い側が選択的に弾性変形することになる。よって、変形しない側を基準として精度よく位置合わせが可能となる。同様に、嵌合部６２１、６２２、２３７、２３８が貫通孔２３４１、２３５１、６２６１、６２７１から引き抜かれる場合にも剛性の低い部分が適切に変形するので、他の構成に過大な負荷をかけない。また、引き抜き後には元の形状に戻るので、新たなインクジェットヘッド２３１が固定部材２３３に取り付けられる場合にも同様に精度よく容易に行われる。
【００６２】
また、被嵌合部２３４、２３５、６２６、６２７は、貫通孔２３４１、２３５１、６２６１、６２７１を取り巻く環状部２３４ｂ、２３５ｂなどと、環状部２３４ｂ、２３５ｂなどにおける所定の角度方向の範囲に対して接続する基部２３４ａ、２３５ａなどとを含み、基部２３４ａ、２３５ａなどが接続された角度方向の範囲の剛性が、基部２３４ａ、２３５ａなどが接続されていない角度範囲の剛性よりも高い。貫通孔２３４１、２３５１、６２６１、６２７１の断面形状は円形であり、嵌合部６２１、６２２、２３７、２３８の柱状構造部分の断面形状は長軸長が上記円形の直径よりも大きい楕円形である。嵌合部６２１、６２２、２３７、２３８の突起は、柱状構造部分の楕円形の長軸が上述の所定の角度範囲の中央を通るように貫通孔２３４１、２３５１、６２６１、６２７１に挿入されて嵌合される。
このように、柱状構造部分の径が最も大きい部分の一端が剛性の安定して高い部分と一致するように嵌合されるので、貫通孔２３４１、２３５１、６２６１、６２７１の拡張方向が安定して選択的に一方に偏り、これに基づいて精度よく位置合わせを行うことができる。
【００６３】
また、ここでは、剛性は、嵌合部６２１、６２２、２３７、２３８の突起の挿入方向に垂直な面内における角度方向ごとに、被嵌合部２３４、２３５、６２６、６２７の貫通孔２３４１、２３５１、６２６１、６２７１からの厚さに応じて定まるものである。すなわち、被嵌合部２３４、２３５、６２６、６２７の材質を一部で異ならせなくてもよいので、容易に角度方向によって剛性の異なるものとすることができる。
【００６４】
また、被嵌合部２３４、２３５、６２６、６２７は、上記挿入方向に垂直な面内における角度方向において連続した低剛性範囲と、当該低剛性範囲よりも剛性の高い高剛性範囲とに２分割される。すなわち、細かく低剛性範囲（肉薄部）と高剛性範囲（肉厚部）とが入り組んで形成される必要はなく、容易な構成で効率よく、被嵌合部２３４、２３５、６２６、６２７に選択的な角度方向の範囲での変形を行わせることができる。
【００６５】
また、図７（ｃ）に示したように、被嵌合部２３４、２３５などには、嵌合部６２１、６２２などの突起の挿入方向に垂直な面内で貫通孔２３４１、２３５１などを外部と接続する切欠部２３５ｖなどが、剛性の低い角度範囲内に設けられている。ここでいう剛性の低い角度範囲内には、切欠部２３５ｖにより剛性が低下する範囲を含む。このように、被嵌合部２３４、２３５の材質や厚さだけでなく、切欠によって局所的に剛性を低下させることでも、嵌合部６２１、６２２などの突起の挿入に伴う選択的な変形を生じさせ、これにより、位置合わせ精度の維持と突起（すなわち、インクジェットヘッド２３１）の着脱の容易性とを両立させることができる。
【００６６】
また、ヘッドユニット２３は、係合面において被嵌合部２３４、２３５、６２６、６２７の剛性が相対的に低い側よりも相対的に高い側に嵌合部６２１、６２２、２３７、２３８の突起がより強く押圧されるようにインクジェットヘッド２３１を付勢する付勢部材２３６を備える。このように、付勢部材２３６によって、より剛性が高く、相対位置関係にずれを生じさせない状態で被嵌合部２３４、２３５、６２６、６２７と嵌合部６２１、６２２、２３７、２３８とを嵌合させるので、位置合わせの精度を向上させることができる。また、一時的に大きな外力や衝撃が加わった場合でも、より確実にもとの位置関係が維持され、また、復帰するので、これら外力や衝撃による位置ずれを生じさせない。
【００６７】
また、ここでは、嵌合部６２１、６２２、２３７、２３８は、インクジェットヘッド２３１と一体的に形成されている。インクジェットヘッド２３１と固定部材２３３とが一律に所定の位置関係で固定されればよいのであれば、これらは始めから一体形成されることで、嵌合部６２１、６２２、２３７、２３８とインクジェットヘッド２３１との間での位置関係の調整やそのずれを考慮する必要がなくなり、調整部８４を用いずに、より容易かつ確実に高精度で位置合わせをして固定することができる。
【００６８】
また、固定部材２３３には、固定される嵌合部２３７、２３８又は被嵌合部２３４、２３５の位置を調整するための調整部８４が設けられている。予め固定部材２３３と嵌合部２３７、２３８や被嵌合部２３４、２３５との位置合わせを行っておくことで、あとは、これらに対して被嵌合部６２６、６２７や嵌合部６２１、６２２を合わせ込むだけで、容易かつ確実にインクジェットヘッド２３１を固定部材２３３に対して高精度で固定することが可能となる。
【００６９】
また、被嵌合部２３４、２３５、６２６、６２７の熱膨張係数は、嵌合部６２１、６２２、２３７、２３８の熱膨張係数以下である。このように、被嵌合部の側の熱膨張をより小さく抑えることで、突起が挿入される側の応力分布を非一様に変化させづらくして、位置合わせ精度の低下を抑制することができる。
【００７０】
また、本実施形態のインクジェット記録装置１は、上記ヘッドユニット２３を備える。これにより、高精度にインクジェットヘッド２３１の位置合わせを容易に行うことができ、また、インクジェットヘッド２３１の故障時などに容易に交換し、再度位置合わせを行うことができる。したがって、容易に高画質を維持しやすい。
【００７１】
なお、本発明は、上記実施の形態に限られるものではなく、様々な変更が可能である。
例えば、上記実施の形態では、嵌合部の柱状構造部分の断面が貫通孔の断面よりも大きいこととしたが、完全に同一サイズであってもよい。剛性の低い部分があることによって、挿入時の摩擦などを低減して適切な位置関係で嵌合させ、また取り外すことが可能となる。
【００７２】
また、上記実施の形態では、嵌合部の突起が貫通孔に取り付けられるものとしたが、突起の挿入方向に垂直な面内での角度に応じて剛性が異なるものであれば、突起の長さとの関係に応じて貫通していない孔部であってもよい。
【００７３】
また、上記実施の形態では、被嵌合部２３４、２３５、６２６、６２７を環状部と基部との組み合わせとして示したが、明示的に分割できないような形状、例えば、貫通孔と異なる半径及び中心を有する円形状の断面形状などを有していてもよい。また、上記変形例で示した異なる材質の組み合わせと切欠部の形成とが組み合わされていてもよい。
【００７４】
また、上記実施の形態では、付勢部材２３６を設けることとしたが、付勢部材２３６がなくてもよい。また、付勢部材２３６の数が２個である必要はなく、複数設けられる場合でも全てがインクジェットヘッド２３１を同一方向に付勢するものではなくてもよい。
【００７５】
また、上記実施の形態では、インクジェットヘッド２３１に対して嵌合部や被嵌合部が一体形成され、固定部材２３３に対して嵌合部や被嵌合部を位置調整可能としたが、逆であってもよい。また、一つのインクジェットヘッド２３１に対して嵌合部及び被嵌合部の組が２組設けられて、いずれも位置調整が可能であることとしたが、いずれか一方のみ、例えば、２つの被嵌合部２３４、２３５のうちいずれかのみが位置調整可能であってもよい。
【００７６】
また、２組の嵌合部及び被嵌合部のうち、一方のみに対して上記実施形態に係る構成のいずれかが適用されていてもよい。すなわち、他方の組については、従来の長穴形状の貫通孔を有し、角度方向に応じた剛性の違いを有しない被嵌合部と、当該被嵌合部に挿入されて、適宜な位置で固定される嵌合部との組み合わせであってもよい。この場合、長穴の延在方向を幅方向に限ることとしてもよく、また、長穴に垂直な搬送方向には、上記と同様に、両側にそれぞれ肉厚部と肉薄部とが形成されていてもよい。これにより、一方の嵌合部と被嵌合部との組により位置が規定され、他方の嵌合部と被嵌合部との組で、回転方向についての角度位置が規定される。また、幅方向に長穴を設けることで、温度条件の違いなどによる膨張などに応じた両嵌合部６２１、６２２の間の距離のずれにも対応することができる。
【００７７】
また、上記実施の形態では、被嵌合部として一つの部材で形成されたものを例に挙げて説明されたが、複数の部材が組み合わされたものであってもよい。また、嵌合部は、基部などに突起が設けられてインクジェットヘッド２３１や固定部材２３３などに取り付けられるものであってもよい。
【００７８】
また、剛性の高い範囲と低い範囲とで２分割される場合に限られない。嵌合部の挿入、引き抜き時に適切に部分的に弾性変形し、かつ変形のしない（少ない）部分が位置合わせの基準になるものであればよい。
【００７９】
また、上記実施の形態では、突起が貫通孔に挿入されて嵌合する嵌合部と被嵌合部との組み合わせを例に挙げて説明したが、着脱可能に固定されて係合される構成であれば、これに限られるものではない。例えば、複数の歯車と噛み合わされるものであったりしてもよい。
その他、上記実施の形態で示した構成や構造などの具体的な細部は、本発明の趣旨を逸脱しない範囲において適宜変更可能である。
【符号の説明】
【００８０】
１     インクジェット記録装置
１０   媒体供給部
１１   媒体供給トレー
１２   供給搬送部
１２１、１２２       ローラー
１２３ ベルト
２０   記録動作部
２１   画像形成ドラム
２２   受け渡しユニット
２２１ 爪部
２２２ 受け渡しドラム
２３   ヘッドユニット
２３１ インクジェットヘッド
２３２ 流路部材
２３３ 固定部材
２３４、２３５       被嵌合部
２３４１、２３５１   貫通孔
２３４ａ、２３５ａ   基部
２３４ｂ、２３５ｂ   環状部
２３５ｃ      先端部
２３５ｖ      切欠部
２３６ 付勢部材
２３７、２３８       嵌合部
２４   定着部
２５   デリバリー部
２５１、２５２       ローラー
２５３ ベルト
２５４ 受け渡しローラー
３０   媒体排出部
３１   媒体排出トレー
６１   ノズル基板
６２   基板
６２１、６２２       嵌合部
６２６、６２７       被嵌合部
６４   本体部
６５   流路接続部
８１   貫通孔
８４   調整部
Ｍ     記録媒体
【図１】
2020019177.tif 000003
【図２】
2020019177.tif 000004
【図３】
2020019177.tif 000005
【図４】
2020019177.tif 000006
【図５】
2020019177.tif 000007
【図６】
2020019177.tif 000008
【図７】
2020019177.tif 000009
【図８】
2020019177.tif 000010
【図９】
2020019177.tif 000011